(57)【特許請求の範囲】
【請求項１】
画像記録装置から取り込まれる画像データをパターンデータと合成して印刷装置により印刷する印刷システムであって、
上記画像記録装置は、
画像データを取り込む撮影手段と、
この撮影手段によって取り込まれた画像データと上記印刷装置から得られるパターンデータとを合成する合成手段と、
この合成手段によって得られた合成データを上記印刷装置に出力する合成データ出力手段とを備え、
上記印刷装置は、
上記パターンデータを記憶するパターン記憶手段と、
このパターン記憶手段に記憶されたパターンデータを上記画像記録装置に出力するパターンデータ出力手段と、
上記画像記録装置の上記合成データ出力手段から出力された合成データを印刷する印刷手段とを備えたことを特徴とする印刷システム。
【請求項２】
上記画像記録装置は、上記印刷装置からの表示指示により上記合成手段によって得られた合成データを表示する表示手段をさらに具備したことを特徴とする請求項１記載の印刷システム。
【請求項３】
画像記録装置から取り込まれる画像データをパターンデータと合成して印刷装置により印刷する印刷システムであって、
上記画像記録装置は、
画像データを取り込む撮影手段と、
この撮影手段によって取り込まれた画像データを圧縮する圧縮手段と、
この圧縮手段によって圧縮された画像データを記憶する画像記憶手段と、
上記印刷装置から得られる圧縮されたパターンデータ及び上記画像記憶手段内の圧縮された画像データを伸長する伸長手段と、
この伸長手段によって伸長されたパターンデータ及び画像データを合成処理する合成手段と、
この合成手段によって得られた合成データを上記印刷装置に出力する合成データ出力手段とを備え、
上記印刷装置は、
上記パターンデータを圧縮した状態で記憶するパターン記憶手段と、
このパターン記憶手段に記憶された、圧縮されたパターンデータを上記画像記録装置に出力するパターンデータ出力手段と、
上記画像記録装置の上記合成データ出力手段から出力された合成データを印刷する印刷手段とを備えたことを特徴とする印刷システム。
【請求項４】
上記画像記録装置は、上記合成手段によって得られた合成データを上記圧縮手段により圧縮後、上記合成データ出力手段により上記印刷装置に出力し、
上記印刷装置は、上記圧縮された合成データを伸長する伸長手段を有し、この伸長手段によって伸長した合成データを上記印刷手段により印刷することを特徴とする請求項３記載の印刷システム。
【請求項５】
上記画像記録装置の圧縮手段及び伸長手段は、ワイヤードロジックにより構成され、
上記印刷装置の伸長手段は、プログラムドロジックにより構成されることを特徴とする請求項４記載の印刷システム。
【発明の詳細な説明】
【０００１】
【発明の属する技術分野】
本発明は、デジタルカメラで撮影された画像を受け取って印刷する印刷システムに係り、特に撮影画像とイラスト等のパターンとを合成し、その合成画像を印刷する場合に用いて好適な印刷システムに関する。
【０００２】
【従来の技術】
従来、パソコン（パーソナルコンピュータ）を介さずにデジタルカメラと直接接続して、デジタルカメラで撮影された画像データを受け取ってプリンタにより印刷する印刷システムが開発されている。
【０００３】
この種の印刷システムでは、印刷対象としているのはデジタルカメラで撮影された画像データのみであり、そこに画像データとは別のデータを挿入して印刷するものはない。
【０００４】
【発明が解決しようとする課題】
近年、上述したような印刷システムの普及に伴い、デジタルカメラで撮影された画像の中にイラスト等の任意のパターンを挿入して印刷する要求が高まってきている。しかしながら、従来の印刷システムでは、デジタルカメラで撮影した画像をプリンタに送って印刷するだけであったため、このような要求に答えることができなかった。
【０００５】
本発明はこのような事情に鑑みなされたもので、画像データとパターンデータを合成して印刷することのできる印刷システムを提供することを目的とする。
また、本発明は、画像データとパターンデータとの合成データを印刷前に確認することのできる印刷システムを提供することを目的とする。
【０００６】
また、本発明は、プリンタ側にパターンデータを持たす構成とした際に、そのデータ量を軽減するとともに、そのデータの処理負担を軽減することのできる印刷システムを提供することを目的とする。
【０００７】
また、本発明は、デジタルカメラ側から画像データとパターンデータとの合成データを圧縮して送る構成とした際に、プリンタ側でその合成データを伸長処理して印刷することのできる印刷システムを提供することを目的とする。
また、本発明は、デジタルカメラ側とプリンタ側のそれぞれ圧縮／伸長処理を効率良く行うことのできる印刷システムを提供することを目的とする。
【０００８】
【課題を解決するための手段】
（１）本発明は、画像記録装置から取り込まれる画像データをパターンデータと合成して印刷装置により印刷する印刷システムであって、上記画像記録装置は、画像データを取り込む撮影手段と、この撮影手段によって取り込まれた画像データと上記印刷装置から得られるパターンデータとを合成する合成手段と、この合成手段によって得られた合成データを上記印刷装置に出力する合成データ出力手段とを備える。
【０００９】
一方、上記印刷装置は、上記パターンデータを記憶するパターン記憶手段と、このパターン記憶手段に記憶されたパターンデータを上記画像記録装置に出力するパターンデータ出力手段と、上記画像記録装置の上記合成データ出力手段から出力された合成データを印刷する印刷手段とを備える。
【００１０】
このような印刷システムによれば、印刷装置から画像記録装置（デジタルカメラ）に対してイラスト等のパターンデータが送出され、画像記録装置側で画像データとパターンデータとの合成データが作成される。この合成データは印刷装置に出力され、印刷装置により印刷される。これにより、画像データとパターンデータを合成して印刷することができ、しかも、印刷装置側にパターンデータを持たすことで、画像記録装置側のデータ保持の負担をなくすことができる。
【００１１】
（２）また、上記（１）の印刷システムにおいて、上記画像記録装置は、上記印刷装置からの表示指示により上記合成手段によって得られた合成データを表示する表示手段をさらに具備したことを特徴とする。
【００１２】
このような印刷システムによれば、印刷装置から画像記録装置に対して表示指示が送られ、画像記録装置では、この表示指示に従って画像データとパターンデータとの合成データを表示する。これにより、画像データとパターンデータとの合成データを印刷前に確認することができる。
【００１３】
（３）また、本発明は、画像記録装置から取り込まれる画像データをパターンデータと合成して印刷装置により印刷する印刷システムであって、上記画像記録装置は、画像データを取り込む撮影手段と、この撮影手段によって取り込まれた画像データを圧縮する圧縮手段と、この圧縮手段によって圧縮された画像データを記憶する画像記憶手段と、上記印刷装置から得られる圧縮されたパターンデータ及び上記画像記憶手段内の圧縮された画像データを伸長する伸長手段と、この伸長手段によって伸長されたパターンデータ及び画像データを合成処理する合成手段と、この合成手段によって得られた合成データを上記印刷装置に出力する合成データ出力手段とを備える。
【００１４】
一方、上記印刷装置は、上記パターンデータを圧縮した状態で記憶するパターン記憶手段と、このパターン記憶手段に記憶された、圧縮されたパターンデータを上記画像記録装置に出力するパターンデータ出力手段と、上記画像記録装置の上記合成データ出力手段から出力された合成データを印刷する印刷手段とを備える。
【００１５】
このような印刷システムによれば、印刷装置から画像記録装置（デジタルカメラ）に対してイラスト等のパターンデータが圧縮された状態で送出され、画像記録装置側でそのパターンデータの伸長処理と、画像データの伸長処理が行われ、その伸長後の画像データとパターンデータに基づいて合成データが作成される。この合成データは印刷装置に出力され、印刷装置により印刷される。これにより、印刷装置側にパターンデータを圧縮した状態で持たせることで、そのデータ量を軽減することができ、しかも、画像記録装置側の伸長機能を利用することで、印刷装置側の処理負担も軽減するできる。
【００１６】
（４）また、本発明は、上記（３）の印刷システムにおいて、上記画像記録装置は、上記合成手段によって得られた合成データを上記圧縮手段により圧縮後、上記合成データ出力手段により上記印刷装置に出力し、上記印刷装置は、上記圧縮された合成データを伸長する伸長手段を有し、この伸長手段によって伸長した合成データを上記印刷手段により印刷することを特徴とする。
【００１７】
このような印刷システムによれば、画像データとパターンデータとの合成データが圧縮されて印刷装置に送られる。印刷装置では、この圧縮された合成データを伸長処理し、その伸長後の合成データを印刷する。これにより、合成データを圧縮して送るようにしても、印刷装置側でその合成データを伸長処理して印刷することができる。
【００１８】
（５）また、本発明は、上記（４）の印刷システムにおいて、上記画像記録装置の圧縮手段及び伸長手段は、ワイヤードロジックにより構成され、上記印刷装置の伸長手段は、プログラムドロジックにより構成されることを特徴とする。
【００１９】
このような印刷システムによれば、画像記録装置側でパターンデータの伸長処理や、画像データ、合成データの圧縮処理がハード回路で行われ、印刷装置側で合成データの伸長処理がソフト処理で行われる。
【００２０】
一般にカメラ側では、撮影で取り込んだ画像データを圧縮して画像メモリに格納し、伸長して表示部に表示するため、１つの画像の圧縮伸長処理に時間を要すると、連続して撮影する場合や連続して表示する場合に処理時間による制限が生じて操作性が悪くなる。したがって、専用のハード回路が使われる。一方、プリンタ側では、印字機構のデータ処理のスピードがカメラ側に比べて多少遅くとも間に合うので、ハード回路に比べて手軽なソフト処理が使われる。
【００２１】
このような場合に、画像記録装置側でパターンデータの伸長処理や、画像データ、合成データの圧縮処理を高性能なワイヤードロジック（ハード回路）で行えば有効である。
【００２２】
【発明の実施の形態】
以下、図面を参照して本発明の一実施形態を説明する。
図１は本発明の一実施形態に係る印刷システムの構成を示す外観図である。本システムは、デジタルカメラ１００とプリンタ２００からなり、デジタルカメラ１００より連続して取り込まれた画像をプリンタ２００により印刷するものである。
【００２３】
デジタルカメラ１００は、カメラ本体部１０１とその側面部に設けられたレンズユニット部１０２からなる。カメラ本体部１０１には、撮影した画像を確認するためのカラーＬＣＤ  （Ｌｉｑｕｉｄ  Ｃｒｙｓｔａｌ  Ｄｉｓｐｌａｙ）  １９と、カメラ操作に必要な各種のキーを有するキー入力部１３が設けられている。
【００２４】
このキー入力部１３に設けられるキーとしては、例えば電源のＯＮ／ＯＦＦキー、撮影モードと再生モードとを切り換えて設定する動作モード設定キー、シャッターを操作するシャッターボタン、再生モード時にビューファインダに撮影された画像を順次表示させるために操作する±キー等がある。また、レンズユニット部１０２は、撮影用のレンズを備えた部分であり、カメラ本体部１０１に対して回動自在に取り付けられている。
【００２５】
一方、プリンタ２００は、ケーブル３０を介してデジタルカメラ１００に接続される。このプリンタ２００は、サーマル印字ヘッドとその印字ヘッドの副捜査方向にイエロー（Ｙ）、マゼンタ（Ｍ）、シアン（Ｃ）の３色のインクが塗布されたカラー印刷用のインクリボンを有し、このインクリボンの３色のインク領域の頭出しをしつつ印字ヘッドを駆動して、記録紙に上記３色のインクを重ね転写する。
【００２６】
このプリンタ２００のプリンタ本体部２０１には、デジタルカメラ１００を遠隔制御するための各種のキーを備えたキー入力部２３が設けられている。
このキー入力部２３に設けられるキーとしては、例えば電源キー、印刷キーの他、デジタルカメラ１００の画像メモリ９に格納される画像データを順次表示させる表示指示キー２３ａや、画面表示される画像を選択する選択キー２３ｂが設けられる。
【００２７】
また、２０２は記録紙であり、プリンタ本体部２０１にセットされる。この記録紙２０２上にデジタルカメラ１００で撮影された画像、あるいは、その画像のサムネイル画像（縮小画像）が印刷される。
【００２８】
図２は同実施形態におけるデジタルカメラ１００とプリンタ２００の回路構成を示すブロック図である。デジタルカメラ１００において、１はレンズ、２はＣＣＤ  （Ｃｈａｒｇｅ  Ｃｏｕｐｌｅｄ  Ｄｅｖｉｃｅ）である。タイミング・ジェネレータ３は、ＣＣＤ２を駆動する駆動回路４を制御するためのタイミング信号を発生する。駆動回路４は、タイミング・ジェネレータ３からのタイミング信号に基づいてＣＣＤ２を駆動する。ＣＣＤ２は、画像信号をアナログ電気信号に変換してアンプ５を介して出力する。
【００２９】
Ａ／Ｄ変換器６は、アナログの映像信号をデジタル信号に変換する。ＤＲＡＭ７は、取り込んだデジタル映像信号を一時的に記憶する。また、このＤＲＡＭ７はプリンタ２００から転送される画像データと組み合わせるパターンデータ（イラストデータ）の伸長処理や、画像データとパターンデータとの合成処理に用いられる。
【００３０】
圧縮／伸長部８は、取り込んだデジタル画像信号を符号化／復号化により圧縮／伸長を行なう。この圧縮／伸長部８は、専用のハード回路にて構成される。なお、圧縮、伸長処理機能をソフト処理により実現することもできる。すなわち、ＲＯＭ１０に圧縮／伸長処理のプログラムを記憶させ、このプログラムに従ってＣＰＵＩ２が処理を行なう。画像メモリ９は、圧縮された画像信号を格納しておくフラッシュメモリからなる。
【００３１】
ＲＯＭ１０は、デジタルカメラ１００を制御するためのプログラムを格納している。ＲＡＭ１１は、制御のための演算処理の中間データ等を一時的に格納する。ＣＰＵ１２は、ＲＯＭ１０に格納されているプログラムに基づいて動作し、ＲＡＭ１１のワーク領域を使用し、キー入力部１３から入力する各操作キーの入力操作信号又はＩ／Ｏボート１４を介して入力されるプリンタ２００からの制御信号に基づいて各部を制御する。
【００３２】
キー入力部１３には、電源のＯＮ／ＯＦＦキー、撮影モードと再生モードとを切り換えて設定する動作モード設定キー、シャッターを操作するシャッターボタン、再生モード時にビューファインダに撮影された画像を順次表示させるために操作する±キー等が設けられている。
【００３３】
ビデオ信号発生部１５は、デジタル画像信号に同期信号等を付加してデジタルビデオ信号を生成する。ＶＲＡＭ１６は、デジタルビデオ信号を記憶するメモリである。Ｄ／Ａ変換器１７は、ビデオ信号発生部１５から出力されたデジタルビデオ信号をアナログビデオ信号に変換する。
【００３４】
カラ−ＬＣＤ１９は、Ｄ／Ａ変換器１７からアンプ１８を介して出力されるアナログビデオ信号に基づいて液晶を駆動し、画像を表示する。そして、Ｉ／Ｏボート１４は、シリアル信号に変換された画像信号や制御信号を入出力するインターフェースである。
【００３５】
これらの動作を簡単に説明すると、撮影画像を記録する際は、キー入力部１３のシャッターボタンが操作されることによって、ＣＰＵ１２は、タイミング・ジェネレータ３に画像取り込み信号を発生させ、ＣＣＤ２から画像信号を取り込み、ＤＲＡＭ７に一時記憶させる。ＤＲＡＭ７に記憶されたＣＣＤ２からの撮像信号はＣＣＤ２のカラーフィルタを通って来たもので、例えば「Ｙｅ」，「Ｃｙ」，「Ｇｒ」といった色成分を持っている。このＤＲＡＭ７に記憶された撮像信号に対して輝度信号生成処理及び色信号生成処理を行い、輝度信号と色信号を作成する。この輝度信号と色信号を圧縮／伸長部８に転送してデータ圧縮し、これを画像メモリ９に記憶する。
【００３６】
また、記録した画像を再生する際は、再生モードの設定により、ＣＰＵ１２は、画像メモリ９から所定の圧縮画像信号（圧縮輝度信号と圧縮色信号）を読み出して圧縮／伸長部８に転送し、この圧縮／伸長部８で伸張された輝度信号と色信号とからなるデジタル画像信号をビデオ信号発生部１５に転送する。ビデオ信号発生部１５は、デジタル画像信号に同期信号を付加してデジタルビデオ信号を生成し、これをＶＲＡＭ１６に書き込み、カラ−ＬＣＤ１９で表示する。
【００３７】
一方、プリンタ２００は、ＣＰＵ２０と、このＣＰＵ２０にバス２１を介して接続された画像メモリ２２、キー入力部２３、ＲＯＭ２４、ＲＡＭ２５、カラープリンタ部２６、Ｉ／Ｏ部２７を備える。
【００３８】
このプリンタ２００はケーブル３０を介してデジタルカメラ１００に接続され、デジタルカメラ１００を制御するための各種の指令情報やデータをデジタルカメラ１００側に送るとともに、デジタルカメラ１００側から画像データ等のデータを受けて印刷する。
【００３９】
キー入力部２３には、プリンタ２００がデジタルカメラ１００と接続してプリントする際に、デジタルカメラ１００を遠隔制御するためのキーや、プリンタ２００を動作させるための各種のキー等が設けられている。例えば、電源キー、印刷キーの他、デジタルカメラ１００のＬＣＤ１９に画像メモリ９に格納される画像データを順次表示させる表示指示キー２３ａ、画面表示される画像を選択する選択キー２３ｂである。
【００４０】
画像メモリ２２は、ＲＡＭ２５に一時的に記憶された画像データから変換されたイエロー（Ｙ）、マゼンタ（Ｍ）、シアン（Ｃ）の３色からなる１枚分の印刷データを記憶する。ＲＡＭ２５は、ＣＰＵ２０が行なう演算処理用のワーク領域と、印刷時の印刷バッファメモリ領域を備えている。
【００４１】
カラープリンタ部２６は、カラー印刷用のインクリボンを用いてフルカラーの印刷が可能であり、サーマル印字ヘッドを含む印刷機構、記録紙２０２の搬送機構等を備える。
【００４２】
ＲＯＭ２４には、ＣＰＵ２０による通信処理、データ伸長処理、印刷処理等の動作プログラムが格納される。また、このＲＯＭ２４には、デジタルカメラ１００で撮影した画像データに合成するイラスト等のパターンデータが圧縮された状態で記憶され、さらにそのパターンデータを選択するための表示画面用データが圧縮された状態で記憶されている。そして、Ｉ／Ｏ部２７は、ケーブル３０を介してデジタルカメラ１００側のＩ／Ｏ部１４と接続し、デジタルカメラ１００との間で画像信号や制御信号の入出力を行う。
【００４３】
これらの動作を簡単に説明すると、プリンタ２００側では、キー入力部２３の操作に応じてデジタルカメラ１００から送られてくる、圧縮された画像データあるいは画像データとパターンデータとの合成データを受信する。この圧縮された画像データあるいは合成データは、ＲＡＭ２５に一時格納された後、ＣＰＵ２０のソフト処理により伸長される。ＣＰＵ２０は、このＲＡＭ２５内の伸長後の画像データあるいは合成データからイエロー（Ｙ）、マゼンタ（Ｍ）、シアン（Ｃ）の３色からなる１枚の印刷データを作成し、これを画像メモリ２２に格納する。カラープリンタ部２６は、この画像メモリ２２に格納された印刷データに基づいて、カラーインクリボンをイエロー（Ｙ）、マゼンタ（Ｍ）、シアン（Ｃ）の順で走査することにより、記録紙２０２に画像データあるいは合成データを印刷する。
【００４４】
図３は同実施形態におけるパターン選択画面を示す図である。合成画像印刷時において、デジタルカメラ１００のカラ−ＬＣＤ１９に、図３に示すようなパターン選択画面３１が表示される。この例では、「ＳＴＡＲ７」、「ＳＴＡＲ５」、「ＨＥＸ６」、「ＴＲＩ３」といったパターンが選択対象となっている。このパターンは、圧縮されてプリンタ２００のＲＯＭ２４に格納されており、プリンタ２００からデジタルカメラ１００に転送される。
【００４５】
図４は同実施形態におけるパターンデータを示す図である。プリンタ２００のＲＯＭ２４には、各種のパターンデータ３２〜３５が圧縮された状態で記憶されている。これらのパターンデータ３２〜３５は、例えばカード（はがき）の印刷に用いられるものであり、星、三角等の輪郭の内側に画像が合成される。パターン部分はいろいろな色が施され、あるいは模様が付される。この例では、パターンデータ３２とパターンデータ３３に、「Ｍｅｒｒｙ  Ｃｈｒｉｓｔｍａｓ」といった文字が付されている。また、パターンデータ３４とパターンデータ３５に、「Ｈａｐｐｙ  Ｈｏｌｉｄａｙ」及び「１９９７」といった文字が付されている。
【００４６】
図５は同実施形態における合成画像の印刷例を示す図である。例えば、図３のパターン選択画面３１で「ＨＥＸ６」を選択すると、図４に示すパターンデータ３２がデジタルカメラ１００に転送される。デジタルカメラ１００側では、撮影により得られた画像データ３６とパターンデータ３２とを合成し、その合成データをプリンタ２００に送る。プリンタ２００側でこれを印刷することにより、図５に示すような印刷結果が得られる。
【００４７】
次に、デジタルカメラ１００とプリンタ２００を接続して、デジタルカメラ１００で撮影した画像とパターンとを合成してプリンタ２００により印刷する場合の動作について、図６を参照して説明する。
【００４８】
図６は同実施形態における画像合成印刷処理の動作を示すフローチャートである。図６（ａ）はプリンタ２００側の処理、同図（ｂ）はデジタルカメラ１００側の処理を示している。まず、合成画像の印刷を行うに際し、プリンタ２００に設けられたキー入力部２３の操作により、プリンタ２００とデジタルカメラ１００の通信接続を確立する（ステップＡ１１，ステップＢ１１）。
【００４９】
プリンタ２００のＲＯＭ２４には、デジタルカメラ１００で撮影した画像データに合成するイラスト等のパターンデータが圧縮された状態で記憶され、さらにそのパターンデータを選択するための表示画面用データが圧縮された状態で記憶されている。プリンタ２００とデジタルカメラ１００の通信接続が確立されると、このＲＯＭ２４に記憶されたパターン選択用の表示画面用データがＩ／Ｏ部２７を介してデジタルカメラ１００に送信される（ステップＡ１２）。
【００５０】
デジタルカメラ１００側では、このパターン選択用の表示画面用データをＩ／Ｏ部１４を介して受信する（ステップＢ１２）。デジタルカメラ１００側のＣＰＵ１２は、このパターン選択用の表示画面用データを圧縮／伸長部８により伸長して、図３に示すようなパターン選択画面３１をカラ−ＬＣＤ１９に表示する（ステップＢ１３）。このパターン選択画面３１の表示により、ユーザは合成対象となるパターンの種類をデジタルカメラ１００のカラ−ＬＣＤ１９を通して確認することができ、プリンタ２００のキー入力部２３を操作して、パターン選択画面３１の中から所望のパターンを選択する（ステップＡ１３）。
【００５１】
次に、ユーザはプリンタ２００のキー入力部２３に設けられた表示指示キー２３ａの操作により、撮影画像の表示指示を行う（ステップＡ１４）。この表示指示キー２３ａは±キーからなり、このキー操作によって順次出力される表示指示信号はＩ／Ｏ部２７を介してデジタルカメラ１００に送信される。デジタルカメラ１００側では、この表示指示信号に従って画像メモリ９から画像データ（圧縮データ）を順次読み出し、これを圧縮／伸長部８により伸長してＶＲＡＭ１６に書き込み、カラ−ＬＣＤ１９に順に表示する（ステップＢ１４）。
【００５２】
このカラ−ＬＣＤ１９に所望の画像が表示されたとき、ユーザはプリンタ２００のキー入力部２３に設けられた選択キー２３ｂを操作する（ステップＡ１５）。この選択キー２３ｂの操作により、ＣＰＵ２０は当該画像を選択するための画像選択信号をＩ／Ｏ部２７を介してデジタルカメラ１００に送信する（ステップＡ１６）。また、このとき、ＣＰＵ２０はＲＯＭ２４から上記パターン選択画面３１上で選択されたパターンデータ（圧縮データ）を読み出し、これをＩ／Ｏ部２７を介してデジタルカメラ１００に送信する（ステップＡ１７）。
【００５３】
デジタルカメラ１００側では、プリンタ２００から送られてくる画像選択信号Ｉ／Ｏ部１４を介して受信するとともに（ステップＢ１５）、上記選択されたパターンデータ（圧縮データ）を受信し、これをＲＡＭ１１に格納する（ステップＢ１６）。
【００５４】
ここで、デジタルカメラ１００側のＣＰＵ１２は、画像メモリ９の中から上記画像選択信号によって指定された画像データ（圧縮データ）を読み出し、この画像データと上記ＲＡＭ１１に格納されたパターンデータをＤＲＡＭ７の中で圧縮／伸長部８により伸長するとともに（ステップＢ１７）、両データの合成データをＤＲＡＭ７内に作成する（ステップＢ１８）。画像データとパターンデータとの合成データが作成されると、ＣＰＵ１２はそれをカラ−ＬＣＤ１９に表示する（ステップＢ１９）。これにより、ユーザはデジタルカメラ１００のカラ−ＬＣＤ１９を通じて合成データを確認することができる。続いて、ＣＰＵ１２はＤＲＡＭ７内に作成された合成データを圧縮／伸長部８により圧縮し（ステップＢ２０）、その圧縮された合成データをＩ／Ｏ部１４を介してプリンタ２００に送信する（ステップＢ２０）。
【００５５】
プリンタ２００側では、デジタルカメラ１００から送られてくる合成データをＩ／Ｏ部２７を通じて受信し、これをＲＡＭ２５に格納する（ステップＡ１８）。そして、プリンタ２００側のＣＰＵ２０は、ＲＯＭ２４に格納されたデータ伸長処理用プログラムの起動により、ＲＡＭ２５に格納された合成データを伸長する（ステップＡ１９）。そして、ＣＰＵ２０はこの伸長後の合成データからイエロー（Ｙ）、マゼンタ（Ｍ）、シアン（Ｃ）の順で１枚分の印刷データを画像メモリ２２に作成し、これをカラープリンタ部２９に渡して印刷を開始する（ステップＡ２０）。
【００５６】
このように、プリンタ２００側でイラスト等のパターンデータを持ち、そのパターンデータとデジタルカメラ１００で撮影された画像データとの合成データをデジタルカメラ１００側で作成し、これをプリンタ２００により印刷する。したがって、従来、デジタルカメラ１００で撮影された画像しか印刷できなかったが、本発明によれば、その撮影画像にイラスト等の任意のパターンを加えて印刷することができる。
【００５７】
【発明の効果】
以上のように本発明によれば、プリンタに持たせたイラスト等のパターンデータをデジタルカメラに送って、画像データとパターンデータとの合成データを作成し、この合成データをプリンタに送るようにしたため、画像データとパターンデータを合成して印刷することができる。この場合、プリンタ側にパターンデータを持たせているので、デジタルカメラ側のデータ保持の負担をなくすことができる。
【００５８】
また、プリンタ側からの表示指示により、デジタルカメラ側で画像データとパターンデータとの合成データを表示することで、合成データを印刷前に確認することができる。
【００５９】
また、プリンタ側にパターンデータを圧縮した状態で持たすことで、そのデータ量を軽減することができる。この場合、デジタルカメラ側の伸長機能を利用して、その圧縮されたパターンデータを伸長処理することで、プリンタ側の処理負担も軽減することができる。
【００６０】
また、プリンタ側に伸長機能を持たすことで、画像データとパターンデータとの合成データをデジタルカメラから圧縮して送ることができる。
また、デジタルカメラ側の圧縮／伸長手段をワイヤードロジック（ハード回路）により構成し、プリンタ側の伸長手段をプログラムドロジック（ソフト処理）により構成することで、デジタルカメラ側とプリンタ側のそれぞれ圧縮／伸長処理を効率良く行うことができる。
【図面の簡単な説明】
【図１】本発明の一実施形態に係る印刷システムの構成を示す外観図。
【図２】同実施形態におけるデジタルカメラとプリンタの回路構成を示すブロック図。
【図３】同実施形態におけるパターン選択画面を示す図。
【図４】同実施形態におけるパターンデータを示す図。
【図５】同実施形態における合成画像の印刷例を示す図。
【図６】同実施形態における画像合成印刷処理の動作を示すフローチャート。
【符号の説明】
１００…デジタルカメラ
１０１…カメラ本体部
１０２…レンズユニット部
２００…プリンタ
２０１…プリンタ本体
２０２…記録紙
１３…キー入力部
１９…カラ−ＬＣＤ
２３…キー入力部
２３ａ…表示指示キー
２３ｂ…選択キー
３０…ケーブル
３１…パターン選択画面
３２〜３５…パターンデータ
３６…画像データ
【図１】
0003622387.tif 000002
【図２】
0003622387.tif 000003
【図３】
0003622387.tif 000004
【図４】
0003622387.tif 000005
【図５】
0003622387.tif 000006
【図６】
0003622387.tif 000007